(57)【要約】【課題】駐車ブレーキ１４に対する負担を減少し，摩耗を抑制することができ，故障時において，手押しや牽引が容易な油圧駆動車を提供する。【解決手段】油圧モータ１１を通過した作動油を油タンク６に戻す流路（油圧モータ１１の二次側における作動油流路）の面積を，例えば絞り部１６１を備えた減速弁１６の操作によって可変とし，前記油圧駆動車の走行方向前後方向における傾斜角が所定値以上であるときに前記流路面積を減少する。【選択図】図２
2008169912.tif 000002
【特許請求の範囲】
【請求項１】
電動機によって駆動される油圧ポンプと，該油圧ポンプによって圧送された作動油によって回転する油圧モータとを備え，前記油圧モータによって車輪を駆動して走行する油圧駆動車において，
前記油圧モータの二次側における前記作動油の流路面積を可変とし，前記油圧駆動車が走行方向前後方向に所定の傾斜状態にあるとき，前記油圧モータの二次側における前記作動油の流路面積を減少することを特徴とする油圧駆動車の駆動制御方法。
【請求項２】
前記油圧ポンプ用電動機の回転数を可変と成すと共に，前記油圧ポンプの作動時であって，前記電動機が所定の低回転数にあるとき，前記流路面積の減少を行うことを特徴とする請求項１記載の油圧駆動車の駆動制御方法。
【請求項３】
前記油圧ポンプ用電動機の回転数を可変と成すと共に，前記油圧ポンプの作動時であって，前記電動機の回転数の低下に対応して，前記油圧モータの二次側における前記作動油の流路面積を減少させることを特徴とする請求項１記載の油圧駆動車の駆動制御方法。
【請求項４】
前記油圧モータの二次側における前記作動油の流路面積を，前記油圧駆動車が走行方向前後方向に所定の傾斜状態にあるときに加え，前記油圧ポンプから油圧モータへ作動油の供給を停止したときにおいても減少することを特徴とする請求項１〜３いずれか１項記載の油圧駆動車における駆動制御方法。
【請求項５】
前記油圧駆動車の走行方向前後方向における傾斜角が所定値以上であるとき，前記流路面積の減少を行うことを特徴とする請求項１〜４いずれか１項記載の油圧駆動車の駆動制御方法。
【請求項６】
前記油圧駆動車の走行方向前後方向における傾斜角の増加に対応して，前記流路面積の減少を行うことを特徴とする請求項１〜４いずれか１項記載の油圧駆動車の駆動制御方法。
【請求項７】
電動機によって駆動される油圧ポンプと，該油圧ポンプによって圧送された作動油によって回転する油圧モータとを備え，前記油圧モータによって車輪を駆動して走行する油圧駆動車において，
前記油圧モータの二次側における前記作動油の流路面積を可変とし，前記油圧ポンプから油圧モータへ作動油の供給を停止したとき，前記油圧モータの二次側における前記作動油の流路面積を減少することを特徴とする油圧駆動車の駆動制御方法。
【請求項８】
電動機によって駆動される油圧ポンプと，該油圧ポンプによって圧送された作動油によって回転する油圧モータとを備え，前記油圧モータによって車輪を駆動する油圧駆動車において，
前記油圧モータの二次側に設けられ，前記作動油の流路面積を可変とし，かつ，該流路面積を減少させる減速弁と，
前記油圧駆動車の走行方向前後方向における傾斜角を検出する傾斜角度検出手段と，
前記傾斜角度検出手段が，前記油圧駆動車が所定の傾斜状態にあることを検出したときに，前記減速弁を操作して前記油圧モータの二次側における作動油の流路面積を減少させる制御手段を設けたことを特徴とする油圧駆動車の駆動制御装置。
【請求項９】
前記油圧駆動車の前進，後退又は停止指令，及び前記前進及び後退時における低速から高速に至る迄の段階的な走行速度の指令を入力する入力手段と，前記油圧ポンプと前記油圧モータ間の連通及び遮断，並びに前進又は後退時における前記油圧モータへの作動油の導入方向の切り換えを制御する制御バルブを設けると共に，
前記入力手段によって入力された指令に基づいて，前記油圧ポンプの電動機を始動又は停止し，並びに回転数の制御を行うと共に，前記制御バルブの切り換えを制御し，かつ，前記入力手段により入力された走行速度が所定の低速度であるとき，前記減速弁に前記油圧モータの二次側における作動油の流路面積を減少させるように前記制御手段を構成したことを特徴とする請求項８記載の油圧駆動車の駆動制御装置。
【請求項１０】
前記油圧駆動車の前進，後退又は停止指令，及び前記前進及び後退時における低速から高速に至る迄の段階的な走行速度の指令を入力する入力手段と，前記油圧ポンプと前記油圧モータ間の連通及び遮断，並びに前進又は後退時における前記油圧モータへの作動油の導入方向の切り換えを制御する制御バルブを設けると共に，
前記入力手段によって入力された指令に基づいて，前記油圧ポンプの電動機を始動又は停止し，並びに回転数の制御を行うと共に，前記制御バルブの切り換えを制御し，かつ，前記入力手段により前記油圧駆動車の停止指令が入力されているとき，前記減速弁に前記油圧モータの二次側における作動油の流路面積を減少させるように前記制御手段を構成し，前記制御バルブが，前記油圧ポンプと前記油圧モータ間の回路の遮断時，前記油圧モータの一次側と二次側とを連通する中立位置を有することを特徴とする請求項８記載の油圧駆動車の駆動制御装置。
【請求項１１】
電動機によって駆動される油圧ポンプと，該油圧ポンプによって圧送された作動油によって回転する油圧モータとを備え，前記油圧モータによって車輪を駆動する油圧駆動車において，
前記油圧モータの二次側に設けられ，前記作動油の流路面積を可変とし，かつ，該流路面積を減少させる減速弁と，
前記油圧駆動車の前進，後退又は停止指令，及び前記前進及び後退時における低速から高速に至る迄の段階的な走行速度の指令を入力する入力手段と，前記油圧ポンプと前記油圧モータ間の連通及び遮断，並びに前進又は後退時における前記油圧モータへの作動油の導入方向の切り換えを制御し，前記油圧ポンプと前記油圧モータ間の回路の遮断時，前記油圧モータの一次側と二次側とを連通する中立位置を有する制御バルブを設けると共に，
前記入力手段によって入力された指令に基づいて，前記油圧ポンプの電動機を始動又は停止し，並びに回転数の制御を行うと共に，前記制御バルブの切り換えを制御し，かつ，前記入力手段により前記油圧駆動車の停止指令が入力されているとき，前記減速弁を操作して前記油圧モータの二次側における作動油の流路面積を減少させる制御手段を設けたことを特徴とする油圧駆動車の駆動制御装置。
【発明の詳細な説明】
【技術分野】
【０００１】
本発明は，油圧回路中に設けた油圧モータを回転させて，この油圧モータによって車輪を回転させることにより走行する油圧駆動車の駆動制御方法及び駆動制御装置に関する。
【背景技術】
【０００２】
各種の作業用車輌等において，油圧によって駆動する走行機構を備えた油圧駆動車が使用されている。
【０００３】
この油圧駆動車は，油圧回路１０内に設けた油圧ポンプ１３を電動機等によって駆動することで，前記油圧回路１０内に作動油を圧送し，この作動油の圧力によって前記油圧回路１０内に設けられた油圧モータ１１を駆動すると共に，この油圧モータ１１によって車輪を回転させて走行するように構成されている。
【０００４】
そして，前記油圧ポンプ１３を駆動する電動機の回転数を制御することにより，油圧回路１０内を流れる作動油の流量及び圧力を可変とすることで前記油圧モータ１１の回転数を制御し，これにより油圧駆動車の走行速度を制御している。
【０００５】
このような油圧駆動車の一例として，図７に示す油圧駆動車では，油タンク６内の作動油を圧送する油圧ポンプ１３と，この作動油によって駆動され，油圧駆動車のプロペラシャフト９を回転させる油圧モータ１１間の油圧回路１０に，図示せざる操作装置からの信号により制御される制御バルブＳＶ１を設け，前記油圧モータ１１に対する作動油の導入方向を可変として前進，後退を可能とした構成が開示されている。
【０００６】
そして，この油圧駆動車の前記プロペラシャフト９には，作動油の非導入時に前記プロペラシャフト９の回転を制動する駐車ブレーキ（センターブレーキ）１４を設け，前記制御バルブＳＶ１の切り換えにより油圧モータ１１に対する作動油の導入時，前記駐車ブレーキ１４に対して作動油の導入を行いプロペラシャフト９の制動を解除すると共に，油圧モータ１１に対する作動油の導入停止時，前記駐車ブレーキ１４に対する作動油の導入を停止して，油圧駆動車を駐車することができるように構成されている（特許文献１参照）。
【０００７】
この発明の先行技術文献情報としては次のものがある。
【特許文献１】実開平  ５−６０９２５号公報
【発明の開示】
【発明が解決しようとする課題】
【０００８】
以上のように構成された油圧駆動車において，油圧モータ１１は作動油の流量と圧力とが持つエネルギを，速度とトルクという機械的なエネルギに変換して回転力を得るものであり，前述のように油圧ポンプ１３を駆動する電動機（図示せず）の回転数を制御することにより，油圧モータ１１に導入される作動油の流量と圧力とを変化させることで油圧モータ１１の回転数を増減し，これにより油圧駆動車の走行速度を制御することができるように構成されている。
【０００９】
しかし，前述の方法による走行速度の制御は，油圧駆動車が平地を走行しているときや登坂時には有効であるが，坂等を下る際に重力によって加速する油圧駆動車の減速や，油圧ポンプ１３の停止後，慣性によって走行する油圧駆動車の制動には殆ど効果を発揮しない。
【００１０】
そのため，例えば所定の傾斜角を越える坂道を下る場合等においては，油圧駆動車は重力によって加速し，油圧ポンプ１３によって制御された作動油の流量に対応した回転数を越えて油圧モータ１１が回転するために，油圧駆動車を安全な速度で運転することができなくなる。
【００１１】
このように，制御バルブＳＶ１の切り換え位置を前進又は後退の走行位置として坂道を下る場合には，油圧駆動車の速度を減速することができないことから，図７を参照して説明した従来の油圧駆動車では，坂道を下る際，制御バルブＳＶ１を前進又は後退の走行位置として坂道を下り始めた後，油圧駆動車の速度が上昇すると制御バルブを中立位置に切り換えて駐車ブレーキ１４に対する作動油の供給を停止して駐車ブレーキ１４を作動させ，油圧駆動車の速度が低下し，又は停止すると，再度，前記制御バルブＳＶ１を走行位置に切り換え，この動作を繰り返して油圧駆動車の速度が過度に上昇することを防止しつつ，下り坂の走行を行う必要があった。
【００１２】
ところで，図７を参照して説明した油圧駆動車の駐車ブレーキ１４は，油圧ポンプ１３からの作動油の供給を受けてブレーキ１４を解除する，リターンスプリング付きの単動式油圧シリンダ１４ａを備えており，制御バルブＳＶ１を前進又は後退の位置として前記油圧シリンダ１４ａに対して作動油が供給されている駐車ブレーキ１４の非作動状態から，制御バルブＳＶ１を中立の位置として油圧シリンダ１４ａから作動油が排出された駐車ブレーキ１４の作動位置に切り換えると，駐車ブレーキ１４が利き始め，油圧シリンダ１４ａから作動油が完全に排出されると完全に作動してプロペラシャフト９の回転をロックする。
【００１３】
そのため，前述の油圧駆動車において油圧駆動車を停車させることなく一定速度で坂道を下るためには，制御バルブＳＶ１を走行位置から中立の位置に切り換えた後，油圧シリンダ１４ａから完全に作動油が排出されて駐車ブレーキ１４が完全に作動する迄の僅かな時間内に制御バルブＳＶ１を走行位置に再度戻す操作が必要であり，油圧駆動車に思い通りの速度で坂道を下らせる操作を行うためには極めて高度の操縦技能を必要とする。
【００１４】
また，前記のようにして油圧駆動車の制動を行う場合，油圧駆動車の制動は駐車ブレーキ１４のみによって行われるために，駐車ブレーキ１４に負荷がかかり，ブレーキシュー等の摺動部品の摩耗が早く，頻繁な交換が必要となる。
【００１５】
ところで，油圧駆動車の平地走行時や登坂時，油圧回路１０中に設けられた油圧モータ１１は，油圧回路１０内を流れる作動油に対して抵抗として作用し，油圧モータ１１の存在が，油圧モータ１１の一次側における油圧回路１０内の圧力を上昇させているが，油圧駆動車が坂道を下る場合等において，油圧駆動車が重力により自走して車輪が回転すると，この車輪に出力軸を連結された油圧モータ１１が作動油によって回転される方向に回転されているために，作動油に対する負荷が軽減し，また，このとき油圧モータ１１は一種のポンプとして作用することから，油圧モータ１１がその一次側における作動油を吸引して油圧モータ１１の一次側における作動油の圧力が低下する。
【００１６】
そこで，図７を参照して説明した従来技術における油圧回路１０の構成に代え，図５に示すように制御バルブＳＶ１に，駐車ブレーキ１４の油圧シリンダに対する給排油を行う制動回路２３の開閉機能を持たせずに，駐車ブレーキ１４を，導入される油圧の変化に応じて動作するものとし，油圧ポンプ１３の二次側と油圧モータ１１の一次側間における圧力を前記駐車ブレーキ１４の油圧シリンダ内に導入して油圧回路１０内の圧力変化に応じて駐車ブレーキ１４を制御するように変更することも考えられる。
【００１７】
このように構成することで，油圧駆動車が坂道を下る際の自走による車輪の回転によって油圧モータ１１が回転し，これにより油圧モータ１１の一次側における油圧回路１０内の圧力が低下すると，駐車ブレーキ１４の油圧シリンダに導入される作動油の圧力が油圧作動車の速度が上昇するに従って低下するので，この圧力低下に応じて自動的に駐車ブレーキ１４の利き具合が調整される。
【００１８】
この方法によれば，前述のように下り坂を走行する油圧駆動車が加速するに従って駐車ブレーキ１４の利きが強く，また，油圧駆動車が減速すると駐車ブレーキ１４の利きが弱くなるため，図７を参照して説明した油圧駆動車のように制御バルブＳＶ１の複雑な操作を行うことなしに油圧駆動車を一定の速度で走行させることができる。
【００１９】
しかし，油圧駆動車の制動は，依然として駐車ブレーキ１４のみによって行われるため，駐車ブレーキ１４に対する負担が大きく，ブレーキシュー等の摺動部品が早期に摩耗するという欠点を解消することはできない。
【００２０】
また，油圧駆動車が平地を走行している場合や登坂時であっても，これを低速で走行させるために油圧ポンプ１３を駆動する電動機Ｍの回転数を低下している場合には，油圧モータ１１に導入される作動油の圧力が低くなっているため，駐車ブレーキ１４が作動してブレーキを引き摺った状態での走行が行われる場合があり，この点からもブレーキシュー等の摺動部品の摩耗が早く，また，油圧駆動車の走行に余計な負荷が生じて消費電力が増加する等の欠点がある。
【００２１】
このように，下り坂を走行する場合の油圧駆動車の制動を駐車ブレーキ１４のみで行う場合，駐車ブレーキ１４にかかる負担が大きく，ブレーキシュー等の摺動部品の摩耗を早めることから，駐車ブレーキ１４以外の手段によっても油圧駆動車の制動を行うことができれば好ましい。
【００２２】
図６は，この点に鑑み，駐車ブレーキ１４による制動のみならず油圧回路１０の構成を工夫することによって油圧駆動車の制動を行うことができるように構成したものであり，油圧モータ１１を通過した作動油を油タンク６に戻す回路（油圧モータ１１の二次側）に，油圧モータ１１の一次側圧力と二次側圧力とをパイロット圧とするバランス弁１７を設け，油圧モータ１１の一次側圧力が相対的に低い圧力となったとき，油圧モータ１１を通過した作動油を油タンク６内に戻す流路を遮断するように構成している。
【００２３】
すなわち，坂道を下降等する際の自走により車輪からの回転駆動力を受けて油圧モータ１１が回転することで，前述したように油圧モータ１１の一次側圧力が相対的に低下すると，この油圧モータ１１の二次側（吐出側）の流路を閉塞して背圧を上昇させ，これにより油圧モータ１１の回転を規制し，油圧駆動車の制動を行うことができるようにしたものである。
【００２４】
以上のような構成から，図６として想定した回路構成によれば，下り坂等によって油圧駆動車が自走を開始すると，駐車ブレーキ１４を作動させない場合であっても油圧モータの回転を規制することができ，これにより油圧駆動車の制動を行うことができ，その結果，駐車ブレーキ１４に対する負担を格段に低減すると共に，ブレーキシュー等の摺動部品の摩耗についてもこれを大幅に低減することができる点で，図５及び図７を参照して説明した油圧駆動車に比較して優れたものとなっている。
【００２５】
しかし，このような油圧回路１０を備えた油圧駆動車にあっては，バランス弁１７によって油圧モータ１１の二次側流路が閉塞されると，油圧モータ１１は比較的短時間で回転できなくなり油圧駆動車は急制動されることとなる。
【００２６】
また，例えば，バッテリ上がりが生じたときや，電気系トラブルが発生し，油圧駆動車が自走できなくなった場合に，これを人が手で押し，又は牽引する等して移動しようとしても，二次側（吐出側）が閉塞された油圧モータ１１を回転させることができず，このような手押しや牽引が不可能となる。
【００２７】
そのため，このような手押しや牽引を可能とするために，油圧モータ１１の一次側と二次側間をバイパスするバイパス回路２６を設けると共に，このバイパス回路２６を開閉する開閉弁２７を設け，前述した手押しや牽引を行う必要が生じた場合には，駐車ブレーキ１４に設けた図示せざる手動操作装置を操作して，駐車ブレーキ１４による制動を解除すると共に，前記バイパス回路２６に設けた前記開閉弁２７を開き，油圧モータ１１の一次側と二次側をバイパスする必要がある。
【００２８】
そのために，図６を参照して説明した回路構成にあっては，部品点数が増加すると共に，回路構成が複雑となり，しかも前述のような手押しや牽引を行う際の操作が複雑となっている。
【００２９】
因みに，図５及び図７を参照して説明した油圧駆動車にあっては，いずれも駐車ブレーキ１４に設けた図示せざる手動操作装置を操作して，駐車ブレーキ１４による制動を解除することで油圧駆動車を手押し又は牽引することが可能となっており，油圧モータ１１の一次側と二次側間をバイパスするバイパス回路２６や，このバイパス回路２６を開閉する開閉弁２７を設ける必要はない。
【００３０】
なお，以上の説明では，坂道を下る際の油圧駆動車の制動について説明したが，例えば制御バルブＳＶ１を走行位置から中立（停止）位置に操作した場合のように，慣性によって走行しようとする油圧駆動車の制動時においても，前述した駐車ブレーキ１４以外に，油圧駆動車の制動を行うことができる手段があれば，駐車ブレーキ１４に対する負担を軽減できると共に，ブレーキシュー等の摺動部品の摩耗も減少させることができる。
【００３１】
そこで本発明は，特許文献１として紹介した従来技術（図７）における欠点を解消するだけでなく，図５及び図６として想定した油圧駆動車の構成によっても解消し得ない欠点を解消するためになされたものであり，前述した駐車ブレーキ１４以外の構成によっても油圧駆動車を制動することで，駐車ブレーキ１４に対する負担を減少し，ブレーキシュー等の摺動部品の摩耗を低減することができると共に，油圧駆動車の故障時において，手押しや牽引の必要性が生じた場合であっても，このような手押しや牽引を可能と成すための操作が容易な，油圧駆動車の駆動制御方法及び駆動制御装置を提供することを目的とする。
【課題を解決するための手段】
【００３２】
上記目的を達成するために，本発明の油圧駆動車における駆動制御方法は，電動機Ｍによって駆動される油圧ポンプ１３と，該油圧ポンプ１３によって圧送された作動油によって回転する油圧モータ１１とを備え，前記油圧モータ１１によって車輪を駆動する油圧駆動車において，
前記油圧モータ１１の二次側における前記作動油の流路面積を例えば絞り部１６１を備えた流路の開閉などによって可変とし，前記油圧駆動車が走行方向前後方向に所定の傾斜状態にあるとき，前記油圧モータ１１の二次側における前記作動油の流路面積を減少することを特徴とする（請求項１）。
【００３３】
前記構成の駆動制御方法において，
前記油圧ポンプ１３用電動機Ｍの回転数を可変と成すと共に，前記油圧ポンプ１３の作動時であって，前記電動機Ｍが所定の低回転数，例えば低速から中速で運転されているとき，前記流路面積の減少を行うようにしても良く（請求項２），又は，前記電動機Ｍの回転数の低下に対応して，前記油圧モータ１１の二次側における前記作動油の流路面積を例えば比例的に減少させるように構成しても良い（請求項３）。
【００３４】
さらに，前記油圧モータ１１の二次側における前記作動油の流路面積を，前記油圧駆動車が走行方向前後方向に所定の傾斜状態にあるときに加え，前記油圧ポンプ１３から油圧モータ１１へ作動油の供給を停止したときにおいても減少するようにしても良い（請求項４）。
【００３５】
なお，前記構成の駆動制御方法において，前記油圧駆動車の走行方向前後方向における傾斜角が所定値以上であるとき，前記流路面積の減少を行うようにしても良く（請求項５），又は前記傾斜角の増加に対応して，前記流路面積を比例的に減少するように構成しても良い（請求項６）。
【００３６】
また，本発明の油圧駆動車における駆動制御方法は，電動機Ｍによって駆動される油圧ポンプ１３と，該油圧ポンプ１３によって圧送された作動油によって回転する油圧モータ１１とを備え，前記油圧モータ１１によって車輪を駆動して走行する油圧駆動車において，
前記油圧モータ１１の二次側における前記作動油の流路面積を例えば絞り部１６１を備えた流路の開閉などによって可変とし，前記油圧ポンプ１３から油圧モータ１１へ作動油の供給を停止したとき，前記油圧モータ１１の二次側における前記作動油の流路面積を減少することを特徴とする（請求項７）。
【００３７】
また，本発明の油圧駆動車の駆動制御装置１は，前記同様の基本構成を備えた油圧駆動車において，前記油圧モータ１１の二次側に設けられ，前記作動油の流路面積を可変とし，かつ，該流路面積を減少させる減速弁１６と，
前記油圧駆動車の走行方向前後方向における傾斜角を検出する傾斜角度検出手段３と，
前記傾斜角度検出手段３が，前記油圧駆動車が所定の傾斜状態にあることを検出したときに，前記減速弁１６を操作して前記油圧モータ１１の二次側における作動油の流路面積を減少させる制御手段を設けたことを特徴とする（請求項８）。
【００３８】
このように構成された駆動制御装置１において，前記油圧駆動車の前進，後退又は停止指令，及び低速から中速を経て高速に至る迄の段階的な走行速度の指令を入力する入力手段（図示の例では「走行レバー」）４と，
前記油圧ポンプ１３と前記油圧モータ１１間の連通及び遮断，並びに前進又は後退時における前記油圧モータ１１への作動油の導入方向の切り換えを制御する制御バルブＳＶ１と，
前記入力手段４によって入力された指令に基づいて，前記油圧ポンプ１３の電動機Ｍを始動又は停止し，並びに回転数の制御を行うと共に，前記制御バルブＳＶ１の切り換えを制御し，かつ，前記入力手段４により入力された走行速度が所定の低速度であるとき，前記減速弁１６に前記油圧モータ１１の二次側における作動油の流路面積を減少させる制御手段８を設けたことを特徴とする（請求項９）。
【００３９】
さらに，前記同様の入力手段（図示の例では「走行レバー」）４と制御バルブＳＶ１を設けると共に，前記入力手段４によって入力された指令に基づいて，前記油圧ポンプ１３の電動機Ｍを始動又は停止し，並びに回転数の制御を行うと共に，前記制御バルブＳＶ１の切り換えを制御し，かつ，前記入力手段４により前記油圧駆動車の停止指令が入力されているとき，前記減速弁１６に前記油圧モータ１１の二次側における作動油の流路面積を減少させるように前記制御手段８を構成し，前記制御バルブＳＶ１が，前記油圧ポンプ１３と前記油圧モータ１１間の回路の遮断時，前記油圧モータ１１の一次側と二次側とを連通する中立位置を有することを特徴とする（請求項１０）。
【００４０】
また，本発明の油圧駆動車の駆動制御装置１は，前記同様の基本構成を備えた油圧駆動車において，
前記油圧モータ１１の二次側に設けられ，前記作動油の流路面積を可変とし，かつ，該流路面積を減少させる減速弁１６と，
前記油圧駆動車の前進，後退又は停止指令，及び前記前進及び後退時における低速から高速に至る迄の段階的な走行速度の指令を入力する入力手段（図示の例では「走行レバー」）４と，前記油圧ポンプ１３と前記油圧モータ１１間の連通及び遮断，並びに前進又は後退時における前記油圧モータ１１への作動油の導入方向の切り換えを制御し，前記油圧ポンプ１３と前記油圧モータ１１間の回路の遮断時，前記油圧モータ１１の一次側と二次側とを連通する中立位置を有する制御バルブＳＶ１を設けると共に，
前記入力手段４によって入力された指令に基づいて，前記油圧ポンプ１３の電動機Ｍを始動又は停止し，並びに回転数の制御を行うと共に，前記制御バルブＳＶ１の切り換えを制御し，かつ，前記入力手段４により前記油圧駆動車の停止指令が入力されているとき，前記減速弁１６を操作して前記油圧モータ１１の二次側における作動油の流路面積を減少させる制御手段８を設けたことを特徴とする（請求項１１）。
【発明の効果】
【００４１】
以上で説明した本発明の構成により，本発明の油圧駆動車の駆動制御方法及び駆動制御装置１によれば，油圧モータ１１の二次側における作動油の流路面積を減少することにより，油圧駆動車が下り坂を走行し，又は慣性により走行する等している場合には，車輪の回転によって回転されている油圧モータ１１の回転を制限することができ，これにより油圧駆動車の減速乃至は制動を行うことができた。
【００４２】
前記油圧ポンプ１３用の電動機Ｍが所定の低回転数にあるとき，前記油圧モータ１１の二次側における前記作動油の流路面積を減少することにより，又は，油圧ポンプ１３用電動機Ｍの回転数低下に対応して，油圧モータ１１の二次側における前記作動油の流路面積を減少することにより，油圧駆動車の減速時には油圧ポンプ１３の動作状況に対応した低速に減速することができた。
【００４３】
また，油圧モータ１１の二次側における流路面積の減少を，油圧駆動車が所定の傾斜状態にあるときのみならず，前記油圧ポンプから油圧モータへ作動油の供給が停止する，例えば前記油圧ポンプ１３の停止時においても行うことにより，油圧ポンプ１３を駆動した油圧駆動車の走行状態から，油圧ポンプ１３を停止した油圧駆動車の停止状態に移行した際に，油圧モータ１１の回転を規制して慣性で走行しようとする油圧駆動車を，駐車ブレーキ以外の手段によっても制動することができた。
【００４４】
さらに，このような流路面積の減少を，前記油圧駆動車の走行方向前後方向における傾斜角が所定値以上であるときに行い，又は傾斜角の拡大に応じて流路面積を減少する場合には，この傾斜が走行方向に対して下り方向の傾斜である場合には，重力により加速しようとする油圧駆動車の速度を低下させて制動することができた。
【００４５】
また，作業車が走行している状態から停止するとき，特に走行レバー４を最大位置から中立位置へ急激に操作した場合に，駐車ブレーキ１４の負担を軽減することができ，駐車ブレーキ１４の摩耗を抑制することができた。
【００４６】
なお，前記は油圧ポンプ１３と油圧モータ１１間を開閉すると共に，油圧ポンプ１３からの作動油を前記油圧モータ１１に導入する方向を切り換える制御バルブＳＶ１に，前記油圧ポンプ１３と前記油圧モータ１１間の回路の遮断時，前記油圧モータ１１の一次側と二次側とを連通する中立位置を設けた構成にあっては，この中立位置において油圧駆動車を手押し又は牽引などによって走行させることが可能である。
【発明を実施するための最良の形態】
【００４７】
次に本発明の実施例を，添付図面を参照しながら以下に説明する。
【００４８】
〔制御方法の概要及び制動原理〕
本発明の油圧駆動車の駆動制御方法は，油圧回路１０中に電動機Ｍによって駆動される油圧ポンプ１３と，該油圧ポンプ１３によって圧送された作動油によって回転する油圧モータ１１とを設け，前記油圧モータ１１によって車輪を駆動して走行可能に構成された油圧駆動車を対象とし，この油圧駆動車の油圧回路１０に設けた油圧モータ１１の二次側（吐出側）における作動油の流路面積を可変と成すと共に，この流路面積を減少することにより，油圧駆動車の減速を実現可能としたものであり，油圧駆動車が例えば坂道を下っている場合や，走行していた状態から油圧ポンプ１３による給油を停止して停車させる場合等，油圧駆動車の減速が必要となる場合では，前記位置における作動油の流路面積を減少することにより油圧モータ１１の回転を規制して，油圧駆動車の制動が可能となる。
【００４９】
すなわち，油圧駆動車が下り坂を重力によって走行する場合や，慣性によって走行することにより車輪が回転し，この車輪に出力軸を連結された油圧モータ１１が，車輪の回転によって回転され，そのため，車輪を回転させるための油圧モータ１１が，この車輪による回転によって，本来の機能とは逆に作動油に対してポンプとして作用して，該ポンプの一次側の作動油を吸引すると共に，二次側に吐出する。
【００５０】
そこで，このようにポンプとして機能している油圧モータ１１の二次側において，作動油の流路面積を減少し，油圧モータ１１より吐出されて，油タンク６に回収される作動油の流量を減少すると，油圧モータ１１の二次側圧力，すなわちポンプとして機能している油圧モータ１１の吐出側圧力（背圧）が上昇して，油圧モータ１１はその回転に大きな抵抗を受ける。
【００５１】
そのため，この油圧モータ１１を回転させようとする車輪に対し，油圧モータ１１は抵抗として作用するために，車輪の回転が規制され，その結果，油圧駆動車はその走行速度を低減することが可能となっている。
【００５２】
〔実施例１〕
以上で説明した，本発明の方法による制御を実現するための駆動制御装置１の一実施例を図１及び図２を参照して以下に説明する。
【００５３】
なお，以下で説明する実施例の制御装置にあっては，油圧モータ１１の二次側における流路面積の減少を，油圧ポンプ１３用電動機Ｍが所定の低い回転数の範囲にあり，かつ，油圧駆動車が所定の傾斜状態にあるときに行うものとして説明する。
【００５４】
（１）全体構成
図１は，本発明の油圧駆動車の駆動制御方法を実現する駆動制御装置１の一実施例を示したもので，油圧駆動車を駆動する油圧モータ１１を備え，この油圧モータ１１に油タンク６内の作動油を供給すると共に，油圧モータ１１を通過した作動油を前記油タンク６に回収する，図２に示す油圧回路１０と，油圧駆動車の走行前後方向における傾きを検出する傾斜角度検出手段３，前記油圧駆動車に行わせるべき前進，後退の動作，及びその速度を制御する入力手段４，及び，前記入力手段４によって入力された動作指令と，前記傾斜角度検出手段３によって検出された傾斜角度に従って，前記油圧回路１０に設けた電磁弁ＳＶ１〜ＳＶ４，及び油圧ポンプ１３の駆動用電動機Ｍの回転数を制御する制御手段８によって構成されている。
【００５５】
（２）入力手段
前述の入力手段４は，油圧駆動車の前進，後退及び停止（中立）及び前記前進及び後退時における速度をそれぞれ入力可能としたもので，本実施形態にあっては，一例として可変抵抗器によってこの入力手段を構成し，図１に示す中央の中立位置（停止位置）から，走行レバーを反時計回り方向に倒してゆくと，油圧駆動車の前進方向の走行速度を徐々に増速することを指令する信号を後述する制御手段８に出力すると共に，前記レバーを中立位置から時計回り方向に倒してゆくと，油圧駆動車の後退方向の走行速度を徐々に増速することを指令する信号を後述する制御手段８に出力することができるように構成されている。
【００５６】
（３）傾斜角度検出手段
前述の傾斜角度検出手段３は，油圧駆動車が走行方向に対して所定の傾斜角で傾斜したことを電気信号として取り出すことができるものであれば，既知の各種センサ類を使用することが可能である。
【００５７】
本実施例にあっては，この傾斜検出手段３として傾斜スイッチを設け，車台が走行方向前後方向に所定角度以上に傾斜したとき制御手段８に信号を出力するように構成しているが，例えば傾斜センサ等によって油圧駆動車の傾斜角度の変化を検出し，この変化の度合いによって後述する制御手段８が，油圧モータ１１の二次側における作動油の流路面積の減少量を流量調整弁等によって調整するように構成しても良い。
【００５８】
（４）油圧回路
前述の油圧回路１０は，図２に示すように油タンク６内の作動油を圧送する油圧ポンプ１３を備えた給油回路２１と，前記給油回路２１より導入された作動油によって駆動される油圧モータ１１を備えた駆動回路２２，前記給油回路２１からの作動油を，前記油圧モータ１１に設けた駐車ブレーキ１４の油圧シリンダに対して給排油する制動回路２３，前記駆動回路２２内の作動油を油タンク６内に回収する駆動ドレン回路２４，及び前記制動回路２３を介して駐車ブレーキ１４の油圧シリンダ内の作動油を油タンク６内に回収するブレーキ用ドレン回路２５をそれぞれ備えている。
【００５９】
(4-1) 給油回路
前述の給油回路２１は，後述する駆動回路２２及び制動回路２３にそれぞれ油タンク６内の作動油を導入するもので，油タンク６内の作動油を汲み上げる，電動機Ｍによって駆動される油圧ポンプ１３を備え，この油圧ポンプ１３の二次側流路を三又に分岐して，このうちの一つ２１ａを前述の駆動回路２２に作動油を供給するための流路として，他の一つ２１ｂを前述の制動回路２３に作動油を供給するための流路とすると共に，残りの一つ２１ｃを油タンク６に作動油を逃がす逃がし回路とし，この逃がし回路２１ｃに前記油圧ポンプ１３の二次側圧力をパイロット圧とするリリーフバルブ１５を設けて，油圧ポンプ１３の二次側圧力が，所定の圧力以上に上昇したとき，このリリーフバルブ１５が開いて作動油を油タンク６に逃がし，油圧ポンプ１３やこれを駆動する電動機Ｍが破損等することを防止している。
【００６０】
なお，図示の実施例にあっては，前述の逃がし回路２１ｃを，駆動ドレン回路２４に連通して，該駆動ドレン回路２４によって前記逃がし回路の一部を構成している。
【００６１】
前記油圧ポンプ１３の駆動用電動機Ｍは，本実施例では直流電動機であり，後述する制御手段８より入力される駆動電圧の変化により回転数を変化することができるように構成されている。
【００６２】
従って，この電動機Ｍに対する駆動電圧の変化により，油圧ポンプ１３より吐出する作動油の流量と圧力とが変化し，油圧駆動車の走行速度を可変とすることができるように構成されている。
【００６３】
(4-2) 駆動回路
前述の駆動回路２２は，油圧駆動車を走行させる油圧モータ１１，本実施例にあっては左右の車輪の駆動用にそれぞれ設けられた，回路中に直列に設けられた２つの油圧モータ１１，１１を備えると共に，該回路２２の一端及び他端を，作動位置において前記給油回路２１又は駆動ドレン回路２４のいずれかにそれぞれ連通させる制御バルブＳＶ１，前記制御バルブＳＶ１と，一方の油圧モータ１１（図中左）及び他方の油圧モータ１１（図中右）間にそれぞれ設けられた減速弁１６を備えている。
【００６４】
前述の制御バルブＳＶ１は，油圧駆動車を停止状態と成す中立位置と，前進位置及び後退位置との３位置に切り換え可能に構成された４ポート３位置切り換え弁（電磁弁）であり，この制御バルブＳＶ１のポートＰに前述の給油回路２１を，ポートＲに前述の駆動ドレン回路２４を接続すると共に，一方の油圧モータ１１（左）側の回路をポートＡに，他方の油圧モータ側１１の回路をポートＢにそれぞれ接続し，前進位置においてポートＰＡ及びＢＲを連通して，駆動回路２２内に紙面時計回りの作動油の流れを生じさせると共に，後退位置において，ポートＡＲ及びポートＰＢを連通して，駆動回路２２に紙面反時計回りの作動油の流れを生じさせるように構成されている。
【００６５】
また，この制御バルブＳＶ１は，中立位置をＡＢＲ接続し，この中立位置において作動油が駆動回路２２内を循環可能であると共に，余分な作動油を駆動ドレン回路２４を介して油タンク６に回収することができるように構成されている。
【００６６】
この制御バルブＳＶ１と，左右の油圧モータ１１の間にそれぞれ設けられた前述の減速弁１６は，電磁弁ＳＶ３，ＳＶ４と，該電磁弁ＳＶ３，ＳＶ４に対してそれぞれ並列に連通された絞り部１６１を備え，前記電磁弁ＳＶ３，ＳＶ４の非作動位置に，制御バルブＳＶ１側から油圧モータ１１側に向かう作動油の流れのみを許容する逆止弁を内蔵すると共に，作動位置において，いずれの方向への作動油の流れともに通過することができるように構成されている。
【００６７】
(4-3) 制動回路
前述の油圧モータ１１には，それぞれ該油圧モータ１１の回転を制動する駐車ブレーキ１４が設けられており，この駐車ブレーキ１４に設けられた単動式の油圧シリンダに対して作動油を導入すると，駐車ブレーキ１４による制動が解除されると共に，この油圧シリンダに導入した作動油を排出して油タンク６に回収すると，駐車ブレーキ１４による油圧モータ１１の制動が行われるように構成されている。
【００６８】
前述の制動回路２３は，該回路２３の一端側を二叉に分岐して，一方２３ａを一方の駐車ブレーキ１４（図中左側）の前記油圧シリンダの油出入口に，他方２３ｂを他方の駐車ブレーキ１４（図中右側）の前記油圧シリンダの油出入口にそれぞれ連通し，他端に，前述の給油回路２１（２１ｂ）とブレーキドレン回路２５とを選択的に接続する切り換え弁である電磁弁ＳＶ２を設け，この電磁弁ＳＶ２を切り換えることにより駐車ブレーキ１４による油圧モータ１１の制動，及びこの制動の解除を行うことができるように構成されている。
【００６９】
（５）制御手段
以上のように構成された油圧回路の各電磁弁ＳＶ１〜ＳＶ４，及び油圧ポンプ１３駆動用の電動機Ｍは，制御手段８より出力された制御信号によってその動作が制御されている。
【００７０】
この制御手段８は，前述の入力手段４である走行レバーの操作位置に基づいて，後述する油圧回路１０に設けた油圧ポンプ１３の電動機Ｍを所定の回転数で回転させることができるように構成されていると共に，傾斜角度検出手段３の検出信号と，前記走行レバー４の操作位置に従って，油圧回路１０に設けた電磁弁ＳＶ１〜ＳＶ４を所定の動作パターンで動作させることができるものであれば，例えばリレー等を備えた電気回路によって構成しても良く，又は，予め記憶した所定のプログラムに従って，前記所定の動作を各部に行わせる電子制御装置等によって実現するものとしても良い。
【００７１】
一例として本実施例にあっては，この制御手段８によって，前記入力手段４によって入力された指令，及び傾斜角度検出手段３からの検出信号に基づいて，前述した油圧回路１０に設けた電磁弁ＳＶ１〜ＳＶ４及び油圧ポンプ１３の電動機Ｍをそれぞれ下表に示すように制御している。
【００７２】
【表１】
2008169912.tif 000003
【００７３】
【表２】
2008169912.tif 000004
【００７４】
【表３】
2008169912.tif 000005
【００７５】
（６）動作説明
(6-1) 基本動作
以上のように構成された油圧駆動車の駆動制御装置１において，入力手段である走行レバー４を中立の位置から前進又は後退のいずれかの側に傾けると，この走行レバー４によって入力された前進又は後退指令に従って，制御手段８は，制御バルブ（電磁弁）ＳＶ１を前進又は後退位置に切り換えると共に，制動回路２３に設けた電磁弁ＳＶ２を作動して，駐車ブレーキ１４の油圧シリンダに対する作動油の導入を開始する。
【００７６】
制御手段８は，さらに，走行レバー４の傾きに従って，油圧ポンプ１３駆動用の電動機Ｍの回転数を変化させて，傾きが大きくなるに従い前記電動機Ｍの回転数を増加させて，油圧モータ１１に導入される作動油の流量と油圧とを上昇させる。これにより，油圧モータ１１は回転数を上昇して，油圧駆動車の走行速度が上昇する。
【００７７】
走行レバー４が前進又は後退の走行位置にあるとき，減速弁１６に設けた電磁弁ＳＶ３，ＳＶ４は，傾斜角度検出手段３からの検出信号が受信されていない状態では，いずれも作動状態にある。
【００７８】
これにより，油圧モータ１１を通過した作動油は，油圧駆動車が前進，後退のいずれの場合においても油タンク６に絞り部１６１によって絞られることなく回収されており，油圧駆動車では，走行レバー４の操作によって入力された動作指令に従って，前進又は後退，及び走行速度の増減が行われている。
【００７９】
(6-2) 傾斜時の動作
以上のように構成された駆動制御装置１において，前進，後退のいずれの走行方向である場合であっても，走行レバー４の傾きが，中立位置から中間位置にある場合，すなわち，油圧駆動車を低速から中速で走行すべき入力がされている場合であって，前述した傾斜角度検出手段３により，油圧駆動車が進行方向前後方向に所定の傾斜角度以上の傾斜角で傾斜していることが検出されている場合，制御手段８は，電磁弁ＳＶ３，ＳＶ４に対する制御信号の出力を停止して，電磁弁ＳＶ３，ＳＶ４を図２に示す非作動位置に復帰させるように構成している。
【００８０】
このようにして電磁弁ＳＶ３，ＳＶ４を図２に示す非作動位置に復帰させると，油圧モータ１１を通過して油タンク６に戻る作動油が，油圧駆動車の前進時にあっては電磁弁ＳＶ４を備えた減速弁１６の絞り部１６１により，油圧作業車の後退時にあっては，電磁弁ＳＶ３を備えた減速弁１６の絞り部１６１によりそれぞれ絞られた後に油タンク６内に回収される。
【００８１】
その結果，車輪の回転によって回転され，一種のポンプとして機能している油圧モータ１１の二次側（吐出側）の流路が絞られて背圧が上昇し，その結果，油圧モータ１１の回転が制動され，従って，油圧駆動車の走行速度も低下されて低速から中速に維持し得るように構成されている。
【００８２】
なお，本実施例では，電磁弁ＳＶ３，ＳＶ４をいずれとも同じ信号で共に動作させるように構成した例を説明したが，電磁弁ＳＶ３，ＳＶ４は，油圧駆動車が前進又は後退のいずれの走行状態にあるかに従って，走行モータの二次側となるいずれかの電磁弁のみを非作動とするように構成しても良い。
【００８３】
(6-3) 停止動作
このようにした油圧駆動車を走行させた後，これを停止させる場合には，入力手段である走行レバー４を，前進又は後退位置より中立の位置に戻す。
【００８４】
この走行レバー４の操作により，制御手段８からの制御信号の出力が停止して，油圧回路１０に設けた各電磁弁ＳＶ１〜ＳＶ４は，いずれも図２に示す非作動位置となる。
【００８５】
その結果，制動回路２３に設けた電磁弁ＳＶ２が図２に示す非作動位置となり，駐車ブレーキ１４の油圧シリンダに対する作動油の導入を停止すると共に，駐車ブレーキ１４の油圧シリンダ内に導入された作動油をブレーキ用ドレン回路２５を介して油タンク６内に回収し，これにより，駐車ブレーキ１４が作動し，油圧モータ１１の回転が駐車ブレーキ１４によって制動される。
【００８６】
また，減速弁１６に設けた電磁弁ＳＶ３，ＳＶ４も非作動となり，油圧モータ１１を通過した作動油は，いずれかの減速弁１６に設けた絞り部１６１に導入される。
【００８７】
更に，制御手段８は，駆動回路２２に設けた電磁弁ＳＶ１を中立位置として，駆動回路２２と給油回路２１との連通を遮断すると共に，油圧ポンプ１３を駆動する電動機Ｍに対する駆動電圧の出力を停止することで油圧ポンプ１３を停止する。
【００８８】
これにより，油圧モータ１１に対して，油圧ポンプ１３からの作動油の導入が停止すると共に，走行時の慣性によってなおも走行しようとする油圧駆動車の車輪によって回転される油圧モータ１１の二次側が絞り部１６１によって絞られることによって，油圧モータ１１の背圧が上昇して，油圧モータ１１の回転が制限され，これにより駐車ブレーキ１４と共に油圧駆動車の制動が行われて，油圧駆動車はやがて停止する。
【００８９】
以上のような停止状態において，駆動回路２２に設けた電磁弁ＳＶ１は，中立位置において各ポートをＡＢＲ接続しているために，作動油は，この駆動回路２２内を循環することができるように構成されていると共に，この駆動回路２２内の余剰の作動油は，駆動ドレン回路２４を介して油タンク６内に回収可能に構成されている。
【００９０】
従って，このようにして停止状態にある油圧駆動車を，例えば人が手で押し，又は牽引する等して移動させようとする場合には，駐車ブレーキ１４を手動操作するための，図示せざる解除レバーを操作して駐車ブレーキ１４による走行モータの制動を解除すると，油圧駆動車を手で押し，又は牽引して走行させることが可能となる。
【００９１】
すなわち，油圧駆動車を押し，又は牽引等して走行させると，この走行により生じた車輪の回転により，該車輪に出力軸を介して連結された油圧モータ１１も回転して，この油圧モータ１１は一種のポンプとして作用することとなる。そのため，図６を参照して説明した構成のように，油圧モータ１１の二次側を閉塞する構成として場合には，油圧モータ１１の二次側の圧力を逃がすことができず，油圧モータ１１がロックしてしまうために油圧駆動車を手押しや牽引によって走行させることができないものとなるが，本実施例の油圧回路１０の構成によれば，油圧モータ１１の二次側は，絞り部１６１によって絞られているとはいえ完全に遮断されておらず，油圧モータ１１の二次側の圧力を逃がすことができるようになっている。
【００９２】
そのため，油圧駆動車を手で押し，又は比較的低速で牽引する場合のように，油圧駆動車の走行速度が比較的低速であれば，前述した駐車ブレーキの解除という比較的簡単な操作によってこれを走行させることが可能である。
【００９３】
なお，以上で説明した実施例にあっては，走行レバー４を走行位置から中立位置に戻すと，各電磁弁ＳＶ１〜ＳＶ４のいずれもが同時に図２に示す非作動位置に復帰するものとして説明したが，前述の駐車ブレーキ１４に対する作動油の給排出を制御する電磁弁ＳＶ２については，前記走行レバー４を中立位置に戻した後，所定時間遅れて非作動位置に戻るように前記制御手段８による制御を行っても良い。
【００９４】
走行レバー４を中立の位置に戻すことで，電磁弁ＳＶ３，ＳＶ４が図２に示す非作動位置に復帰し，油圧モータ１１の二次側が絞り部１６１によって絞られ，その結果，前述したように油圧モータ１１の背圧が上昇して油圧モータ１１の回転は制限されて減速する。
【００９５】
従って，作業車が走行している状態から停止するとき，特に走行レバー４を最大位置から中立位置へ急激に操作した場合に，減速弁１６の絞り部１６１の作用により油圧駆動車を減速したのち，駐車ブレーキ１４による制動を行うことで，駐車ブレーキ１４の負担を軽減することができ，駐車ブレーキ１４の摩耗を抑制することができ，さらに，絞りによる減速がなめらかであることから，減速時に車輪がロックしたりせずに乗り心地を改善することができる。
【００９６】
油圧駆動車が平坦路を走行している場合，又は登坂時において慣性によって走行する油圧駆動車の制動を図るものとしても良く，また，傾斜角の増加に対応して流路面積の減少度合いを大きくしてもよい。
【００９７】
〔実施例２〕
以上，図１及び図２を参照して説明した駆動制御装置１にあっては，その油圧回路１０中に油圧駆動車の前進時の減速を行う減速弁１６と，後退時における減速を行う減速弁１６とをそれぞれ別個に設けた例を説明したが，本実施例の駆動制御装置１では，単一の減速弁１６によって，油圧駆動車の前進及び後退のいずれの場合においてもこれを減速することができるように構成した。
【００９８】
このように構成した駆動制御装置１の全体構成を図３に，この駆動制御装置１に設けた油圧回路１０の構成を図４にそれぞれ示す。
【００９９】
図４に示すように，本実施例の駆動制御装置１に設けた油圧回路１０にあっては，単一の減速弁１６によって前進，後退のいずれの走行方向における減速をも行うことができるよう，実施例１の油圧回路にあっては制御バルブ（電磁弁）ＳＶ１と油圧モータ１１間にそれぞれ減速弁１６を設けていた構成に代え，駆動用ドレン回路２４中に単一の減速弁１６を設けたものであり，その他の構成については，図１及び図２を参照して説明した前述の実施例１における駆動制御装置１と同様の構成である。
【０１００】
なお，図３及び図４に示す本実施例の駆動制御装置１の各部の動作は，下表に示す通りである。
【０１０１】
【表４】
2008169912.tif 000006
【０１０２】
【表５】
2008169912.tif 000007
【０１０３】
【表６】
2008169912.tif 000008
【０１０４】
以上のように構成した本実施例の駆動制御装置１によれば，制御バルブＳＶ１を中立位置としたときには，減速弁１６による制動が行われないものとなるが，実施例１として説明した前述の駆動制御装置１に比較して，油圧回路１０中に使用する減速弁１６の個数を減らすことができると共に，回路構成を簡素化することができるものでありながら，制御バルブＳＶ１が前進又は後退位置にあるときには，実施例１の駆動制御装置と同等の効果を得ることができた。
【０１０５】
また，バッテリ上がり等によって油圧駆動車を手で押し，又は牽引する必要が生じた場合において，実施例１の油圧回路１０では，駆動回路２２内の作動油の循環系内に減速弁１６の絞り部１６１が配されるものとなっていたが，本実施例の駆動制御装置１の油圧回路１０にあっては，走行切り換え電磁弁ＳＶ１の中立位置において，駆動回路２２内には絞りが存在していないことから，油圧駆動車を押し，又は牽引する際の力が小さくて良い。
【図面の簡単な説明】
【０１０６】
【図１】本発明の駆動制御装置の機能ブロック図。
【図２】本発明の駆動制御装置で使用する油圧回路の構成図。
【図３】本発明の別の駆動制御装置の機能ブロック図。
【図４】本発明の駆動制御装置で使用する別の油圧回路の構成図。
【図５】油圧ポンプと油圧モータ間の回路内の圧力変化に応じて，駐車ブレーキの利き具合を制御する回路構成を示した説明図。
【図６】油圧モータの二次側を閉塞することで，油圧モータの回転を制動するようにした回路構成を示す説明図。
【図７】従来の油圧駆動車における油圧回路の説明図（特許文献１）。
【符号の説明】
【０１０７】
１  駆動制御装置
３  傾斜角度検出手段
４  入力手段（走行レバー）
６  油タンク
８  制御手段
９  プロペラシャフト
１０  油圧回路
１１  油圧モータ
１３  油圧ポンプ
１４  駐車ブレーキ
１４ａ  油圧シリンダ
１５  リリーフバルブ
１６  減速弁
１７  バランス弁
１６１  絞り部
２１  給油回路
２２  駆動回路
２３  制動回路
２４  駆動ドレン回路
２５  ブレーキ用ドレン回路
２６  バイパス回路
２７  開閉弁
ＳＶ１  制御バルブ（電磁弁）
ＳＶ２〜ＳＶ４  電磁弁
Ｍ  電動機（油圧ポンプ用）
【図１】
2008169912.tif 000009
【図２】
2008169912.tif 000010
【図３】
2008169912.tif 000011
【図４】
2008169912.tif 000012
【図５】
2008169912.tif 000013
【図６】
2008169912.tif 000014
【図７】
2008169912.tif 000015